(57)【要約】      （修正有）【課題】貫流棒を備えた弁芯を提供する。【解決手段】貫流棒を備えた弁芯は、弁座１０と、弁箱２０と、固定弁片３０と、可動弁片４０と、フラップ片５０と、連結部材６０と、貫流棒と、遮断部材と、ディテント構造９０とを備える。ディテント構造９０を介して遮断部材を節動的に往復作動させることで、水圧に差異変化が生じると、フラップ片５０の弾性作動に基づき、外への水の流出の可否を切り替えることができ、かつ連結部材６０が可動弁片４０と連結されることで、可動弁片４０を節動的に回転させて、外への流出水量を調節制御することが可能である。【選択図】図２
0003233679.tif 000002
【実用新案登録請求の範囲】
【請求項１】
弁座（１０）と、弁箱（２０）と、固定弁片（３０）と、可動弁片（４０）と、フラップ片（５０）と、連結部材（６０）と、貫流棒（７０）と、遮断部材（８０）と、ディテント構造（９０）とを備える貫流棒を備えた弁芯であって、
前記固定弁片（３０）と前記可動弁片（４０）とは、水密に積み重ねられると共に、前記弁座（１０）の内部に設置され、前記固定弁片（３０）には、入水路（３２）と出水路（３４）とが貫通され、前記可動弁片（４０）には、前記出水路（３４）と連通する仕切り管（４２）と、前記仕切り管（４２）の外側に形成される第１室（４４）とが形成され、前記仕切り管（４２）の前記固定弁片（３０）から遠く離れる一端に端部（４６）が形成され、前記可動弁片（４０）には、前記第１室（４４）と前記入水路（３２）とを連通する第１通路（４８）が貫通され、水を前記入水路（３２）と前記第１通路（４８）とを通過させて前記第１室（４４）に進入させると共に、前記仕切り管（４２）と前記出水路（３４）とを通過させて前記弁座（１０）から出ていかせ、
弾性を持つ材料から構成される前記フラップ片（５０）は、前記弁座（１０）の内部に設けられ、かつ前記フラップ片（５０）は、前記可動弁片（４０）の前記固定弁片（３０）から遠く離れる一側に位置し、前記フラップ片（５０）は、前記仕切り管（４２）と軸方向に沿って相対し、前記フラップ片（５０）を前記端部（４６）に当接または離間させるようにし、前記フラップ片（５０）には、第２通路（５２）が貫通され、
前記連結部材（６０）の一端が前記弁座（１０）に軸枢され、前記連結部材（６０）の他端が前記弁箱（２０）に連結され、前記連結部材（６０）が前記弁座（１０）に進入して前記可動弁片（４０）と連結され、前記連結部材（６０）を介して前記可動弁片（４０）を前記固定弁片（３０）に相対して節動的に回転させるようにし、前記連結部材（６０）の内部に第２室（６１）が形成され、前記第２室（６１）は、前記第２通路（５２）を通過して前記第１室（４４）に連通され、前記第２室（６１）に第３通路（６２）が延設され、前記第３通路（６２）は、前記連結部材（６０）の軸方向に沿って前記弁箱（２０）に向かって延在し、前記連結部材（６０）には、前記第３通路（６２）の前記可動弁片（４０）から遠く離れる一端に形成される支持板（６３）が設けられ、前記支持板（６３）に前記第３通路（６２）と連通する貫孔（６４）が貫通され、
前記貫流棒（７０）の軸方向が前記連結部材（６０）の内部に設けられ、前記貫流棒（７０）は、前記支持板（６３）と前記フラップ片（５０）とを軸接することにより、前記貫流棒（７０）が位置決めされ、かつ前記フラップ片（５０）は、前記貫流棒（７０）の軸方向に沿って往復弾性作動し、前記第３通路（６２）は前記貫流棒（７０）の側周に位置し、前記貫流棒（７０）には、軸方向に沿って前記仕切り管（４２）と連通する第４通路（７２）が貫通され、
前記遮断部材（８０）と前記ディテント構造（９０）とは、それぞれ前記弁箱２０の内部に設けられ、前記貫流棒（７０）と前記第３通路（６２）とは、それぞれ前記遮断部材（８０）と軸方向に相対するように形成され、前記ディテント構造（９０）が前記遮断部材（８０）と連結され、これにより前記遮断部材（８０）を軸方向に沿って節動的に往復作動させることを特徴とする、貫流棒を備えた弁芯。
【請求項２】
前記ディテント構造（９０）は、電磁制御構造であり、これにより前記遮断部材（８０）を作動させるように自動制御することを特徴とする、請求項１に記載の貫流棒を備えた弁芯。
【請求項３】
前記連結部材（６０）には、前記第２室（６１）に位置する環状面（６５）が設けられ、前記フラップ片（５０）が前記環状面（６５）に当接することにより、前記フラップ片（５０）が位置決めされることを特徴とする、請求項１に記載の貫流棒を備えた弁芯。
【請求項４】
前記貫流棒（７０）の前記フラップ片（５０）から遠く離れる一端に端面（７４）が形成され、前記遮断部材（８０）を前記端面（７４）に当接させるようにすることを特徴とする、請求項１に記載の貫流棒を備えた弁芯。
【考案の詳細な説明】
【技術分野】
【０００１】
本考案は、流体を制御する管路装置に係り、特に、貫流棒を備えた弁芯の斬新な構造形態の開示に関するものである。
【背景技術】
【０００２】
従来、流体を制御するための電磁誘導式弁芯は、弁箱と、遮断片と、電磁制御構造とを備え、その内、前記遮断片は前記弁箱の内部に設けられ、前記弁箱の内部に入水路と出水路とが形成され、前記入水路は外部水源に連通され、前記遮断片により前記入水路と前記出水路との連通関係を遮断し、前記電磁制御構造は前記遮断片と連結され、これにより前記遮断片を往復作動させるように制御し、従って前記入水路と前記出水路との連通関係を変更し、水が前記出水路を通過して外へと流出するかどうかを制御し、前記電磁制御構造はセンサに電気接続され、前記センサは、検知結果に基づき、前記電磁制御構造に対して電気信号を伝達し、前記電磁制御構造は、前記電気信号に基づき、前記遮断片を作動させるように制御し、これにより水が前記弁芯を通過するか否かを自動制御する。
【０００３】
ただし、前記従来の弁芯は、実際の応用経験において、依然として下記の問題点と弊害が存在することが発見された。前記電磁制御構造を介して前記遮断片を作動させるように制御し、水が前記弁芯を通過するか否かを自動制御することができるが、水利用の需要に応じて前記弁芯を通過して外への流出水量を調節制御することができない。
【考案の概要】
【考案が解決しようとする課題】
【０００４】
本考案は、貫流棒を備えた弁芯を提供することを主な目的とし、その解決しようとする技術的課題は、如何にしてより理想的で実用性のあるオリジナルな弁芯を研究開発するかを目標として革新突破を思案することである。
【課題を解決するための手段】
【０００５】
前述の目的に基づいて、本考案の課題を解決するための技術的特長は、主として前記貫流棒を備えた弁芯は、弁座と、弁箱と、固定弁片と、可動弁片と、フラップ片と、連結部材と、貫流棒と、遮断部材と、ディテント構造とを備え、その内、前記固定弁片と前記可動弁片とは、水密に積み重ねられると共に、前記弁座の内部に設置され、前記固定弁片には、入水路と出水路とが貫通され、前記可動弁片には、仕切り管と第１室とが形成され、前記仕切り管は前記出水路と連通され、前記第１室は前記仕切り管の外側に形成され、前記仕切り管の前記固定弁片から遠く離れる一端に端部が形成され、前記可動弁片には、第１通路が貫通され、前記第１通路は、前記第１室と前記入水路とを連通し、水を前記入水路と前記第１通路とを通過させて前記第１室に進入させると共に、前記仕切り管と前記出水路とを通過させて前記弁座から出ていかせ、前記フラップ片は、弾性を持つ材料から構成され、前記フラップ片は、前記弁座の内部に設けられ、かつ前記フラップ片は、前記可動弁片の前記固定弁片から遠く離れる一側に位置し、前記フラップ片は、前記仕切り管と軸方向に沿って相対し、前記フラップ片を前記端部に当接または離間させるようにし、前記フラップ片には、第２通路が貫通され、前記連結部材の一端が前記弁座に軸枢され、前記連結部材の他端が前記弁箱に連結され、前記連結部材が前記弁座に進入して前記可動弁片と連結され、前記連結部材を介して前記可動弁片を前記固定弁片に相対して節動的に回転させるようにし、前記連結部材の内部に第２室が形成され、前記第２室は、前記第２通路を通過して前記第１室に連通され、前記第２室に第３通路が延設され、前記第３通路は、前記連結部材の軸方向に沿って前記弁箱に向かって延在し、前記連結部材に支持板が設けられ、前記支持板は、前記第３通路の前記可動弁片から遠く離れる一端に形成され、前記支持板に貫孔が貫通され、前記貫孔は前記第３通路と連通され、前記貫流棒の軸方向が前記連結部材の内部に設けられ、前記貫流棒は、前記支持板と前記フラップ片とを軸接することにより、前記貫流棒が位置決めされ、かつ前記フラップ片は、前記貫流棒の軸方向に沿って往復弾性作動し、前記第３通路は前記貫流棒の側周に位置し、前記貫流棒には、軸方向に沿って第４通路が貫通され、前記第４通路は前記仕切り管と連通され、前記遮断部材と前記ディテント構造とは、それぞれ前記弁箱の内部に設けられ、前記貫流棒と前記第３通路とは、それぞれ前記遮断部材と軸方向に相対するように形成され、前記ディテント構造が前記遮断部材と連結され、これにより前記遮断部材を軸方向に沿って節動的に往復作動させる。
【考案の効果】
【０００６】
本考案の主な効果と利点は、前記ディテント構造を利用して前記遮断部材を節動的に作動させる時、水圧に生じる差異変化に応じて、水を外向きに流出させるか否かを制御することが可能であると共に、前記連結部材を利用して前記可動弁片を節動的に回転させて外への流出水量を調節制御することが可能である。
【図面の簡単な説明】
【０００７】
【図１】本考案の好適な実施例の斜視図である。
【図２】本考案の好適な実施例の分解斜視概略図である。
【図３】図２の一部拡大図である。
【図４】本考案の好適な実施例の可動弁片の上面図である。
【図５】本考案の好適な実施例の軸方向断面図であり、閉鎖状態を示す。
【図６】図５の一部拡大図である。
【図７】本考案の好適な実施例の軸方向断面図であり、開放状態を示す。
【考案を実施するための形態】
【０００８】
図１〜図７を参照し、これらの図に示すのは、本考案の貫流棒を備えた弁芯の好適な実施例だが、これらの実施例は説明のみに用いられるもので、実用新案登録請求の際、それらの構造に制限されないものとする。
【０００９】
かかる好適な実施例は、弁座１０と、弁箱２０と、固定弁片３０と、可動弁片４０と、フラップ片５０と、連結部材６０と、貫流棒７０と、遮断部材８０と、ディテント構造９０とを備え、その内、前記固定弁片３０と前記可動弁片４０とは、水密に積み重ねられると共に、前記弁座１０の内部に設置され、前記固定弁片３０には、２本の入水路３２と１本の出水路３４とが貫通され、前記可動弁片４０には、仕切り管４２と第１室４４とが形成され、前記仕切り管４２は前記出水路３４と連通され、第１室４４は前記仕切り管４２の外側に形成され、本例において、前記第１室４４は選択的に前記仕切り管４２の外周に囲続され、前記仕切り管４２の前記固定弁片３０から遠く離れる一端に端部４６が形成され、前記可動弁片４０には、第１通路４８が貫通され、前記第１通路４８は、前記第１室４４と少なくとも１本の前記入水路３２とを連通し、水を前記入水路３２と前記第１通路４８とを通過させて前記第１室４４に進入させると共に、前記仕切り管４２と前記出水路３４とを通過させて前記弁座１０から出ていかせ、前記入水路３２の本数は必要に応じて増減変化してもよく、ただ、少なくとも１本の前記入水路３２であれば、特にその本数を限定するものではないことから、前記入水路３２の本数を１本選択する時、前記可動弁片４０の回転を利用して前記入水路３２を通過して前記第１室４４に進入する流量を増減変化することができ、前記入水路３２の本数が複数本である時、各前記入水路３２は、それぞれ選択自在に複数個の異なる外部水源（図中未表示）に連通され、前記可動弁片４０の回転を利用して各前記水源からの水が前記第１室４４に進入する混合比を変えること、及び前記入水路３２の本数選択は、単なる本考案の分野における当業者が好適な実施例に基づいて容易に想到できるものである。
【００１０】
前記フラップ片５０は、弾性を持つ材料から構成され、前記フラップ片５０は、前記弁座１０の内部に設けられ、かつ前記フラップ片５０は、前記可動弁片４０の前記固定弁片３０から遠く離れる一側に位置し、前記フラップ片５０は、前記仕切り管４２と軸方向に沿って相対し、前記フラップ片５０を前記端部４６に当接または離間させるようにし、従って前記仕切り管４２と前記第１室４４との連通関係を切り替えることができ、前記フラップ片５０には、第２通路５２が貫通される。
【００１１】
前記連結部材６０の一端が前記弁座１０に軸枢され、前記連結部材６０の他端が前記弁箱２０に連結され、前記連結部材６０を前記弁座１０に相対して回転させるようにし、前記連結部材６０が前記弁座１０に進入して前記可動弁片４０と連結され、前記連結部材６０を介して前記可動弁片４０を前記固定弁片３０に相対して節動的に回転させるようにし、前記連結部材６０の内部に第２室６１が形成され、前記第１室４４と前記第２室６１とは、それぞれ前記フラップ片５０の軸方向に沿う両端に位置し、かつ前記第２室６１は、前記フラップ片５０を前記固定弁片３０に接近したり遠ざかったりする方向に向けて往復弾性作動させる空間を提供し、前記第２室６１は、前記第２通路５２を通過して前記第１室４４に連通され、前記第２室６１に第３通路６２が延設され、前記第３通路６２は、前記連結部材６０の軸方向に沿って前記弁箱２０に向かって延在し、前記連結部材６０には、支持板６３が設けられ、前記支持板６３は、前記第３通路６２の前記可動弁片４０から遠く離れる一端に形成され、前記支持板６３に複数個の貫孔６４が貫通され、各前記貫孔６４は、それぞれ前記第３通路６２と連通され、前記貫孔６４の個数は必要に応じて増減変化してもよく、ただ、少なくとも１個の前記貫孔６４であれば、特にその個数を限定するものではない。
【００１２】
前記貫流棒７０の軸方向が前記連結部材６０の内部に設けられ、前記貫流棒７０は、前記支持板６３と前記フラップ片５０とを軸接することにより、前記貫流棒７０が位置決めされ、かつ前記フラップ片５０は、前記貫流棒７０の軸方向に沿って、前記固定弁片３０に接近したり遠ざかったりする方向に向かって往復弾性作動することができ、前記第３通路６２は前記貫流棒７０の側周に位置し、かつ前記第３通路６２は選択的に前記貫流棒７０の側周に環状形成されると共に、それに合わせて各前記貫孔６４を前記貫流棒７０の軸方向を中心として環状に配置し、前記貫流棒７０には、軸方向に沿って第４通路７２が貫通され、第４通路７２は前記仕切り管４２と連通され、本例において、前記貫流棒７０の一端が選択的に前記仕切り管４２に延入され、これにより前記第４通路７２と前記仕切り管４２との連通の信頼性を高めることができる。
【００１３】
前記遮断部材８０と前記ディテント構造９０とは、それぞれ前記弁箱２０の内部に設けられ、前記貫流棒７０と前記第３通路６２とは、それぞれ前記遮断部材８０と軸方向に相対するように形成され、前記ディテント構造９０が前記遮断部材８０と連結され、前記ディテント構造９０を介して前記遮断部材８０を軸方向に沿って節動的に往復作動させ、従って前記第３通路６２と前記第４通路７２との連通関係を切り替えることができ、前記遮断部材８０と前記ディテント構造９０との間の相対構成は、本考案の分野に属する当業者が容易に想到できるものであるから、その具体的な構成についての詳細な説明は省略する。
【００１４】
上記の構造組立形態と技術的特徴によれば、図５と図６に示すように、前記遮断部材８０が前記貫流棒７０の前記仕切り管４２の方向から遠く離れる一端に当接する時、前記遮断部材８０は、前記第４通路７２の前記仕切り管４２から遠く離れる一端を閉塞し、前記第３通路６２は、各前記貫孔６４を通過して前記第４通路７２と連通することができず、この時、外部水源からの水（未図示）が前記入水路３２を通過して前記第１室４４、前記第２室６１及び前記第３通路６２に進入し、かつ前記フラップ片５０が前記端部４６に当接し、前記水が前記第４通路７２、前記仕切り管４２及び前記出水路３４に進入することができず、前記水が前記入水路３２、前記第１室４４、前記第２室６１及び前記第３通路６２において静止状態になり、前記第３通路６２の内部の水圧を第１水圧として定義され、前記第１室４４の内部の水圧を第２水圧として定義され、前記第１水圧と前記第２水圧とは同等である。
【００１５】
図７に示すように、前記ディテント構造９０を介して前記遮断部材８０を前記貫流棒７０から遠く離れる方向に向けて節動的に作動させる時、前記遮断部材８０は、前記第４通路７２の前記仕切り管４２から遠く離れる一端に対して形成される閉塞作用を解除し、前記水が前記第３通路６２から各前記貫孔６４を通過して前記第４通路７２に進入すると共に、前記仕切り管４２及び前記出水路３４に向かって流れ、遂に前記第１水圧を降下させ、前記遮断部材８０を前記貫流棒７０から遠く離れる方向に向けて作動させる初期段階において、前記第２水圧が前記第１水圧よりも高いことで、前記フラップ片５０の前記貫流棒７０の外周に近隣する部分を前記端部４６から遠く離れる方向に向けて弾性作動させ、前記水が遂に前記第１室４４から前記フラップ片５０と前記端部４６との間を通過して前記仕切り管４２に進入すると共に、それから前記出水路３４を通過して外向きに流出されることとなる。
【００１６】
好適な実施例は、図７に示される状態において、前記ディテント構造９０を介して前記遮断部材８０が節動的に作動すると共に、前記貫流棒７０に当接する時、前記第１水圧を上昇させ、前記第１水圧と前記フラップ片５０の弾性復元力とにより、前記フラップ片５０を前記端部４６に当接させる状態を促進するように働き、好適な実施例は、図５に示される状態に回復する。
【００１７】
ディテント構造９０を介して前記遮断部材８０を節動的に作動させる時、前記第１水圧と前記第２水圧とに生じる圧力差異の変化によって、好適な実施例に進入する水を外向きに流出させるか否かを制御できると共に、前記連結部材６０を利用して前記可動弁片４０を節動的に回転させることができ、好適な実施例を通過して外への流出水量を調節制御することができると共に、異なる水源からの水の異なる実施例における混合比を調節することができる。
【００１８】
前記ディテント構造９０としては、電磁制御構造が選択され、これにより前記遮断部材８０を作動させるように自動制御する。
【００１９】
前記連結部材６０には、環状面６５が設けられ、前記環状面６５は前記第２室６１に位置し、前記フラップ片５０が前記環状面６５に当接することにより、前記フラップ片５０が位置決めされる。
【００２０】
図３に示すように、前記貫流棒７０の前記フラップ片５０から遠く離れる一端に端面７４が形成され、前記遮断部材８０を前記端面７４に当接させるようにし、従って前記第３通路６２と前記第４通路７２との連通関係を遮断する。
【符号の説明】
【００２１】
１０：弁座
２０：弁箱
３０：固定弁片
３２：入水路
３４：出水路
４０：可動弁片
４２：仕切り管
４４：第１室
４６：端部
４８：第１通路
５０：フラップ片
５２：第２通路
６０：連結部材
６１：第２室
６２：第３通路
６３：支持板
６４：貫孔
６５：環状面
７０：貫流棒
７２：第４通路
７４：端面
８０：遮断部材
９０：ディテント構造
【図１】
0003233679.tif 000003
【図２】
0003233679.tif 000004
【図３】
0003233679.tif 000005
【図４】
0003233679.tif 000006
【図５】
0003233679.tif 000007
【図６】
0003233679.tif 000008
【図７】
0003233679.tif 000009